(57)【要約】【課題】光ディスクの符号間干渉等が発生するのを低減し、信号取得品質を向上することができるとともに、レーザ光源の出力を上げることなく、データ信号及び制御信号の出力を十分に得ることができ、高い信頼性を有する光ヘッドを提供する。【解決手段】半導体レーザ光源１と、コリメータレンズ２と、ビームスプリッタ３と、対物レンズ５と、検出レンズ６と、光検出素子７を有し、回折光中の０次回折光の比率が高い２個の第１格子部で１次回折光の比率が高い第２格子部を同一面上に挟んだ回折格子４を備えた光ヘッドＡ。【選択図】図２
2007200477.tif 000002
【特許請求の範囲】
【請求項１】
レーザ光を出射する半導体レーザ光源と、
前記レーザ光を平行光に変換するコリメータレンズと、
前記レーザ光の一部を透過し残りを反射するビームスプリッタと、
前記ビームスプリッタより出射したレーザ光を光ディスクの記録層に集光するための対物レンズと、
前記ビームスプリッタと前記対物レンズの間に配置される円板形状を有する回折格子と、
前記光ディスクで反射しビームスプリッタで反射したレーザ光を集光する集光レンズと、
前記集光レンズで集光されたレーザ光を検出する光検出素子とを有する光ヘッドであって、
前記回折格子は回折光中の０次回折光の比率が高い２個の第１格子部で１次回折光の比率が高い第２格子部を同一面上に挟んだ構造を有しており、
半導体レーザ光源より出射されるレーザ光のファーフィールドパターンは楕円形状であり、前記レーザ光のファーフィールドパターンの光軸を含み長径方向に延びる中間部が第２格子部に入射するように前記回折格子を配置したことを特徴とする光ヘッド。
【請求項２】
レーザ光を出射する半導体レーザ光源と、
前記レーザ光源より出射されたレーザ光を光ディスクに集光するための対物レンズと、
前記レーザ光源と前記対物レンズの間に配置された回折光学素子とを有する光ヘッドであって、
前記回折格子は回折光中の０次回折光の比率が高い複数の第１格子部で１次回折光の比率が高い第２格子部を光軸に直交する方向に挟んだ構造を有しており、
半導体レーザ光源より出射されるレーザ光のファーフィールドパターンは楕円形状であり、前記レーザ光のファーフィールドパターンの光軸を含む中間部が第２回折素子部に入射するように前記回折光学素子を配置したことを特徴とする光ヘッド。
【請求項３】
前記回折光学素子は回折格子であることを特徴とする請求項２に記載の光ヘッド。
【請求項４】
前記回折光学素子はホログラムであることを特徴とする請求項２に記載の光ヘッド。
【請求項５】
前記第１回折素子部と前記第２回折素子部とは異なるデューティー比を有していることを特徴とする請求項２から請求項４のいずれかに記載の光ヘッド。
【請求項６】
前記第１回折素子部と前記第２回折素子部とは表面に異なる深さの溝を複数備えていることを特徴とする請求項２から請求項４のいずれかに記載の光ヘッド。
【発明の詳細な説明】
【技術分野】
【０００１】
本発明は、光ディスクに情報を記録する又は光ディスクより情報を読み出す光ディスク装置に備えられ、前記光ディスクにレーザ光を照射し、良好な信号を得ることのできる光ヘッドに関するものである。
【背景技術】
【０００２】
映像、音声等の情報の記録媒体としてレーザ光を照射することで情報を記録、再生することができる光ディスクが利用されている。前記光ディスクとして、ＣＤ（Ｃｏｍｐａｃｔ  Ｄｉｓｃ）、高密度な（記憶容量の大きな）ＤＶＤ（Ｄｉｇｉｔａｌ  Ｖｅｒｓａｔｉｌｅ  Ｄｉｓｃ）が用いられており、近年、ＤＶＤよりさらに高密度な（記憶容量の大きな）ＢＤ（Ｂｌｕ−ｒａｙ  Ｄｉｓｃ）も登場し、製品化されている。これら光ディスクを記録媒体とする光ディスク装置は、前記光ディスクにレーザ光を照射するための光ヘッドを備えている。
【０００３】
図５に光ヘッドの概略配置図を示す。図５に示す光ヘッドＢはレーザ光を出射するレーザ光源９１と、発散光を平行光に変換するコリメータレンズ９２と、入射するレーザ光の一部を反射し残りを透過する光学素子であるビームスプリッタ９３と、レーザ光を光ディスクＤｓの所定の位置に集光させる対物レンズ９４と、光ディスクＤｓで反射したレーザ光を検出する光検出素子９５と、光検出素子９５にレーザ光を集光するための検出レンズ９６とを有している。
【０００４】
レーザ光源９１より出射されたレーザ光は、コリメータレンズ９２に入射し、透過するときに平行光に変換される。平行光に変換されたレーザ光はビームスプリッタ９３に入射し、入射した光の半分は透過して対物レンズ９４に入射する。対物レンズ９４に入射したレーザ光は集光されて、レーザスポットとして光ディスクＤｓに照射される。
【０００５】
また、光ディスクＤｓで反射したレーザ光は対物レンズ９４に戻り、略平行光となって、ビームスプリッタ９３に入射する。ビームスプリッタ９３に入射したレーザ光のうち半分は反射されて、検出レンズ９６に入射し、集光されて光検出素子９５に入射する。レーザ光は光検出素子９５で電気信号に変換し、その変換された電気信号に基づいて、光ディスクに記録された情報が再生される（特開２００３−２４２６６５号公報、特開２００４−７９１２３号公報等参照）。
【０００６】
また、光ヘッドＢには、光ディスクＤｓで反射したレーザ光を回折させるための回折格子９７が配置されている。光検出素子９５は中央に第１光検出部９５１が、第１光検出部９５１を挟んで２個の第２光検出部９５２とが形成されており、回折格子９７ではレーザ光を０次回折光（入射光の光軸と同じ光軸を有する回折光）と、１次回折光（入射光の光軸に対して角度を有する方向に光軸を有する回折光）に分離するものである。０次回折光は第１光検出部９５１で、１次回折光は第２光検出部９５２で検出される。第１光検出部９５１では主に情報再生信号を検出する。第２光検出部９５２では光ヘッドの駆動制御を行う制御信号を検出する。
【特許文献１】特開２００３−２４２６６５号公報
【特許文献２】特開２００４−７９１２３号公報
【発明の開示】
【発明が解決しようとする課題】
【０００７】
図６（Ａ）に従来のレーザ光のファーフィールドパターン（Ｆａｒ  Ｆｉｅｌｄ  Ｐａｔｔｅｒｎ：以下ＦＦＰという）を、図６（Ｂ）に従来の光ディスクの記録層に集光されるレーザ光のニアフィールドパターン（Ｎｅａｒ  Ｆｉｅｌｄ  Ｐａｔｔｅｒｎ：以下ＮＦＰという）を示す。
【０００８】
通常、光ヘッドＢのレーザ光源として用いられる半導体レーザ光源９１より出射するレーザ光のファーフィールドパターン（Ｆａｒ  Ｆｉｅｌｄ  Ｐａｔｔｅｒｎ：以下ＦＦＰという）は楕円形状の強度分布（図６（Ａ）参照）を有しているが、対物レンズ９４で光ディスクＤｓに集光されたニアフィールドパターン（Ｎｅａｒ  Ｆｉｅｌｄ  Ｐａｔｔｅｒｎ：以下ＮＦＰという）は、ＦＦＰの楕円形状とは長径と短径が逆になった（換言すると、９０度回転した）楕円形状の強度パターンを有している（図６（Ｂ）参照）。
【０００９】
光ディスクＤｓでは、らせん状又は同心円状に形成されたトラックにレーザ光を照射して情報の再生を行っている。ＤＶＤ、ＢＤ等の記録密度の高い光ディスクの場合、隣り合うトラックの幅が小さくなる。トラック幅が小さな光ディスクに楕円形状のＮＦＰを有するレーザ光が照射されると、複数のトラックにまたがってレーザ光が照射されたり、同一トラック内の前後のピット又はランドにレーザ光が照射されたりしてしまい、符号間干渉が発生し再生の品質劣化を生じてしまう。
【００１０】
また、従来の回折格子９７を用いる場合、１次回折光の光量が少なくなるように設定されていることが多い。１次回折光の光量が少ないと、制御信号を十分に得ることができず、光ヘッドの駆動制御を十分にできない場合がある。そのため、レーザ光源から出射されるレーザ光の出力を上げることも考えられるが、レーザ光の出力を上げると、消費エネルギが大きくなるとともに、発熱量が増え、光ヘッドに配置された光学素子への悪影響がある場合がある。さらに、レーザ光源の出力を上げて、光ディスクの記録層に大きなエネルギのレーザ光が照射されると、記録層にダメージを与えてしまうことがあり、データを消してしまう場合がある。
【００１１】
そこで本発明は、光ディスクの符号間干渉等が発生するのを低減し、信号取得品質を向上することができる光ヘッドを提供することを目的とする。
【００１２】
また本発明は、レーザ光源の出力を上げることなく、データ信号であるＲＦ信号及び制御信号の出力を十分に得ることができ、それだけ、エネルギの消費を低減し、構成光学素子及び光ディスクの記録層に不具合が発生するのを低減することができるとともに、正確な制御を行うことができ、高い信頼性を有する光ヘッドを提供することを目的とする。
【課題を解決するための手段】
【００１３】
上記目的を達成するために本発明は、レーザ光を出射する半導体レーザ光源と、前記レーザ光を平行光に変換するコリメータレンズと、前記レーザ光の一部を透過し残りを反射するビームスプリッタと、前記ビームスプリッタより出射したレーザ光を光ディスクの記録層に集光するための対物レンズと、前記ビームスプリッタと前記対物レンズの間に配置される円板形状を有する回折格子と、前記光ディスクで反射しビームスプリッタで反射したレーザ光を集光する集光レンズと、前記集光レンズで集光されたレーザ光を検出する光検出素子とを有する光ヘッドであって、前記回折格子は０次回折光を多く出射する２個の第１格子部で１次回折光を多く出射する第２格子部を挟んだ構造を有しており、半導体レーザ光源より出射されるレーザ光のファーフィールドパターンは楕円形状であり、前記レーザ光のファーフィールドパターンの光軸を含み長径方向に延びる中間部が第２格子部に入射するように前記回折格子を配置したことを特徴とする。
【００１４】
この構成によると、前記回折格子を透過したレーザ光のファーフィールドパターンは楕円形状を有するとともに、長径方向に伸びる中間部の０次回折光が減少し、該中間部の強度が低下する。これにより、レーザ光の強度分布が均一に近く（ＲＩＭ強度が高く）なり、前記対物レンズで集光し前記光ディスクの記録層に集光したレーザ光のニアフィールドパターンを小径の略真円形状にすることができる。
【００１５】
これにより、光ディスクの記録層に形成されているらせん状又は同心円上に形成されているトラックに、正確にレーザ光を照射することができ、光ディスクからの情報の読出し精度をあげることができる。
【００１６】
また、前記光ディスクで反射したレーザ光から分離する１次回折光の光量を多くすることができるため、前記１次回折光を制御信号用ビームとして用いる場合、制御信号用ビームの光量が多いので、前記光ヘッドの駆動制御の精度を高めることができる。
【００１７】
さらに、制御信号を得るために前記半導体レーザ光源の出力を高めなくても良く、エネルギの消費量を低減するとともに、前記半導体レーザ光源の発熱や、高エネルギのレーザ光照射されることで発生する前記光ヘッドを構成する光学素子の損傷、破損等の不具合の発生を抑制することができる。
【００１８】
さらに、前記光ディスクに照射されるレーザ光の強度を抑えることで、該光ディスクへ照射されるときのレーザ光による該光ディスクのレーザ光照射部での損傷が発生するのを抑制することができる。
【００１９】
上記目的を達成するために本発明は、レーザ光を出射する半導体レーザ光源と、前記レーザ光源より出射されたレーザ光を光ディスクに集光するための対物レンズと、前記レーザ光源と前記対物レンズの間に配置された回折光学素子とを有する光ヘッドであって、前記回折光学素子は０次回折光を多く出射する２個の第１回折素子部で１次回折光を多く出射する第２回折素子部を挟んだ構造を有しており、半導体レーザ光源より出射されるレーザ光のファーフィールドパターンは楕円形状であり、前記レーザ光のファーフィールドパターンの光軸を含み長径方向に延びる中間部が第２回折素子部に入射するように前記回折光学素子を配置したことを特徴とする。
【００２０】
この構成によると、前記回折工学素子を透過したレーザ光のファーフィールドパターンは楕円形状を有するとともに、長径方向に伸びる中間部の０次回折光が減少し、該中間部の強度が低下する。これにより、レーザ光の強度分布が均一に近く（ＲＩＭ強度が高く）なり、前記対物レンズで集光し前記光ディスクの記録層に集光したレーザ光のニアフィールドパターンを小径の略真円形状にすることができる。
【００２１】
これにより、光ディスクの記録層に形成されているらせん状又は同心円上に形成されているトラックに、正確にレーザ光を照射することができ、光ディスクからの情報の読出し精度をあげることができる。
【００２２】
また、前記光ディスクで反射したレーザ光から分離する１次回折光の光量を多くすることができるため、前記１次回折光を制御信号用ビームとして用いる場合、制御信号用ビームの光量が多いので、前記光ヘッドの駆動制御の精度を高めることができる。
【００２３】
さらに、制御信号を得るために前記半導体レーザ光源の出力を高めなくても良く、エネルギの消費量を低減するとともに、前記半導体レーザ光源の発熱や、高エネルギのレーザ光照射されることで発生する前記光ヘッドを構成する光学素子の損傷、破損等の不具合の発生を抑制することができる。
【００２４】
さらに、前記光ディスクに照射されるレーザ光の強度を抑えることで、該光ディスクへ照射されるときのレーザ光による該光ディスクのレーザ光照射部での損傷が発生するのを抑制することができる。
【００２５】
上記構成において、前記回折光学素子は回折格子であってもよくホログラムであってもよい。
【００２６】
さらに上記構成において、前記回折光学素子は前記第１回折素子部と前記第２回折素子部とが異なるデューティー比を有しているものであっても良く、前記第１回折素子部と前記第２回折素子部とはそれぞれ表面に異なる深さの溝群を備えているものであってもよい。
【発明の効果】
【００２７】
本発明によると、光ディスクに照射されるレーザ光のＮＦＰの形状を小径の真円になるようにすることができ、それだけ、光ディスクの符号間干渉等が発生するのを低減し、信号取得品質を向上することができる光ヘッドを提供することができる。
【００２８】
また本発明によると、レーザ光源の出力を上げることなく、データ信号であるＲＦ信号及び制御信号の出力を十分に得ることができ、それだけ、エネルギの消費を低減し、構成光学素子及び光ディスクの記録層に不具合が発生するのを低減することができるとともに、正確な制御を行うことができ、高い信頼性を有する光ヘッドを提供することができる。
【発明を実施するための最良の形態】
【００２９】
以下に本発明の実施形態を図面を参照して説明する。図１に本発明にかかる光ヘッドの概略配置図を示す。図１に示す光ヘッドＡは、予めデータが記録されている光ディスクＤｓにレーザ光を照射しその反射光を検出することでデータを読み出す読出し専用の光ヘッドである。
【００３０】
光ヘッドＡ少なくとも、レーザ光を出射する半導体レーザ光源１と、レーザ光を平行光に変換するコリメータレンズ２と、入射するレーザ光の半分を透過させ、半分を反射するビームスプリッタ３と、レーザ光を０次回折光と１次回折光に分離する回折格子４と、レーザ光を光ディスクＤｓに集光させる対物レンズ５と、光ディスクＤｓで反射されたレーザ光を集光するための検出レンズ６と、光ディスクＤｓで反射されたレーザ光を検出し電気信号に変換する光検出素子７とを有している。
【００３１】
半導体レーザ光源１より出射したレーザ光は発散光であり、コリメータレンズ２に入射する。レーザ光はコリメータレンズ２を透過するときに平行光に変換される。コリメータレンズ２より出射したレーザ光はビームスプリッタ３に入射し、入射したレーザ光の半分は透過して回折格子４に入射する。レーザ光は回折格子４を透過するときに、０次回折光と１次回折光に分離され、対物レンズ５に入射する。
【００３２】
ここで、０次回折光は回折格子４に入射するレーザ光の光軸に沿う方向に出射する回折光であり、１次回折光は入射するレーザ光の光軸に対して角度を有する（拡散する）方向に回折して出射する回折光である。対物レンズ５に入射したレーザ光（０次回折光及び１次回折光）は集光されて光ディスクＤｓの記録層に照射される。
【００３３】
集光されたレーザ光は光ディスクＤｓの記録層で反射される。光ディスクＤｓで反射された反射レーザ光のうち０次回折光は対物レンズ５に入射する。一方、１次回折光は光軸がずれているので対物レンズ５に入射しないか、入射しても漏れてしまうので無視できる。対物レンズ５を透過した反射レーザ光は平行光となり、回折格子４に入射する。反射レーザ光は回折格子４を透過するときに再び、０次回折光及び１次回折光に分離される。
【００３４】
回折格子４を透過した反射レーザ光はビームスプリッタ３に入射する。ビームスプリッタ３に入射した反射レーザ光のうち、半分は反射されて、ビームスプリッタ３を出射し、検出レンズ７に入射する。検出レンズに入射したレーザ光は集光される。このとき、０次回折光は光軸上に集光され、１次回折光は０次回折光を挟んで対称の位置に集光される。
【００３５】
光検出素子７は、０次回折光を検出する第１光検出部７１と１次回折光を検出する第２光検出部７２とを有している。０次回折光は第１光検出部７１で検出され情報再生信号に変換される。また、１次回折光は第２光検出部７２で検出され光ヘッドＡの制御を行う制御信号に変換される。本実施例では０次回折光はデータ再生信号用及び対物レンズ５と光ディスクＤｓの距離を調整するフォーカシング制御に用いられるフォーカスエラー信号用の兼用ビームであり、１次回折光は対物レンズ５にて集光されるレーザ光の集光点を光ディスクＤｓの軸方向に移動させるためのトラッキング制御に用いられるトラックエラー信号用のビームである。フォーカシング制御及びトラッキング制御は既知の方法を用いるものであり、その方法については省略する。光ヘッドＡの構成は上述のものに限定されるものではなく、回折格子４と対物レンズ５とが隣り合う以外の部分に関しては、可能な限り配置が換わっていたり、新たな部材が追加されていてもかまわない。
【００３６】
図２に本発明にかかる光ヘッドに用いられる回折格子の概略図を、図３（Ａ）に回折格子に入射するレーザ光のファーフィールドパターン（Ｆａｒ  Ｆｉｅｌｄ  Ｐａｔｔｅｒｎ：以下ＦＦＰという）を、図３（Ｂ）に回折格子より出射するＦＦＰを、図３（Ｃ）に対物レンズで集光され光ディスクの記録層に集光されるレーザ光のニアフィールドパターン（Ｎｅａｒ  Ｆｉｅｌｄ  Ｐａｔｔｅｒｎ：以下ＮＦＰという）を示す。
【００３７】
図２に示す回折格子４は円板形状を有しており、回折光中の０次回折光の比率が高くなるように形成された第１格子部４１と１次回折光の比率が高くなるように形成された第２格子部４２とを有している。回折格子４は図２に示すように、第２格子部４２を同一面に形成された２個の第１格子部４１で挟む構造を有している。第１格子部４１と第２格子部４２とは、それには限定されないが、ここでは表面に形成された凹溝の凹部幅と凸部幅の比であるデューティー比を変えることで、０次回折光と１次回折光との比を設定するものである。
【００３８】
ビームスプリッタ３より出射されたレーザ光のＦＦＰは図３（Ａ）に示す強度分布を示している。図３（Ａ）に示すようにレーザ光束は楕円形の断面形状を有しており、中心の強度が高く外周部に向かって強度が弱くなる分布を有している。本発明にかかる光ヘッドＡでは図３（Ａ）に示すレーザ光のレーザ光束の楕円形状の中心部を含み長径方向に延びる中間部Ｃｐが、第２格子部４２を透過するように半導体レーザ光源１と回折格子４の位置を決定する。
【００３９】
このように回折格子４を配置することで、回折格子４を透過したレーザ光の中間部Ｃｐは０次回折光が減少する。図３（Ｂ）に示すＦＦＰは回折格子４に入射するレーザ光の光軸に沿う方向の光（０次回折光）の強度分布である。回折格子４を透過したレーザ光のＦＦＰは図３（Ｂ）に示すように中間部Ｃｐの強度が大幅に減少し、中間部Ｃｐを挟む外縁部Ｏｐの強度は入射するレーザ光の強度と同様のパターンの強度分布を示す。
【００４０】
図３（Ｂ）に示す強度分布を有するレーザ光は図３（Ａ）で示す強度分布を有するレーザ光に対して均一な強度分布を有する（ＲＩＭ強度が高い）ので、対物レンズ５で集光し、光ディスクＤｓの記録層に照射すると、光ディスクＤｓの記録層でのレーザ光のＮＦＰは図３（Ｃ）に示すように小径の略真円になる。これにより、レーザ光は光ディスクＤｓの記録層に形成されるトラックに正確に照射される。これにより、レーザ光の照射品質を上げることができ、符号間干渉等の不具合が発生するのを低減することができる。
【００４１】
また、光ディスクＤｓの記録層で反射したレーザ光が回折格子４を透過するときには、回折格子４の第２格子部４２で１次回折光量が多く分離されるので、１次回折光を第２光検出部７２で検出することで制御信号に変換し、光ヘッドＡの制御（ここではトラッキング制御）の精度を高めることができる。
【００４２】
以上のように回折格子４を図２に示すように、楕円形状のレーザ光束の中間部Ｃｐの回折光の割合を、０次回折光より１次回折光が多く出射されるように形成することにより、光ディスクＤｓの記録層でのレーザ光のＮＦＰを小径の略円形状にすることができる。これにより、ＢＤ、ＨＤ−ＤＶＤ等のトラック幅の狭い光ディスクにレーザ光を照射する場合であっても、別途光学素子を用いなくてもレーザ光を正確にトラックに照射させることができる。また、トラッキングエラー信号用の１次回折光も十分に取得することができるので、トラック追従性の高い光ヘッドを提供することが可能である。
【００４３】
図２に示す回折格子４では、第１格子部４１と第２格子部４２とを有しており、所定の面積比を成すように配置されているが、第１格子部４１と第２格子部４２の面積比は図２に示す回折格子４に限定されるものではなく、回折格子４に入射するレーザ光にあわせて対物レンズ５で集束されたときのＮＦＰが小径の略真円形状になるように、ＦＦＰの０次回折光を減衰できるものを広く採用することができる。また、第１格子部４１及び第２格子部４２での０次回折光と１次回折光の分離の比率も同様に、ＮＦＰが小径の略心円形状になるように、回折格子４を透過した後のレーザ光のＦＦＰの中間部Ｃｐの０次回折光を減衰させることのできる比率を広く採用することができる。
【００４４】
第１格子部４１は第２格子部４２を挟んで、同一の形状（弓形状）を有するものが例示されており、第２格子部４２が正確に中央に配置されているものを例に説明しているが、それに限定されるものではなく、第２格子部４２が一方の第１格子部４１に偏って配置されるものであってもよい。
【００４５】
図２に示す回折格子４は円板形状の回折格子を例に説明しているが、それに限定されるものではなく、図４に示すように矩形等の多角形の平板形状の外形を有する回折格子４ｂであって、同一面に形成される第１格子部４１ｂが第２格子部４２ｂを挟んだ形状のものを広く採用することができる。多角形の平板形状の回折格子の場合、光ヘッドＡに配置するときに取付固定しやすいとともに、位置決め精度を上げることができ、レーザ光を光ディスクに精度良く照射することができる。また、矩形状の透明基板に円形状の回折格子部を備えており、回折格子部に第１格子部及び第２格子部を備えているものであってもよい。
【００４６】
上記実施例では、回折格子４を利用してレーザ光を０次回折光、１次回折光に分離するものを例に説明しているが、それに限定されるものではなく、ホログラム素子を用いるものであってもよい。また、第１格子部又は第２格子部のいずれか一方にホログラム素子を他方に回折格子を用いるものであってもよい。ホログラム素子を用いると、ホログラム素子の形状を変えることで、回折光の位相を調整することができる。
【００４７】
また、第１格子部及び第２格子部はそれには限定されないが、それぞれ異なるデューティー比（凹溝と凸部との幅比）の凹溝群からなるものや、凹溝の深さが異なる凹溝群からなるもの等を例示することができる。また、これらに限定されるものではなく、０次回折光と１次回折光の割合を任意に設定した回折格子、ホログラムを広く採用することができる。
【００４８】
上記実施例では、光ヘッドとして読み取り専用の光ヘッドを採用しているがそれに限定されるものではなく、レーザ光を光ディスクの記録層に照射し、反射光を検出することで情報を読み出すことができるとともに、光ディスクの記録層に照射することで、情報を記録することができる記録再生兼用型の光ヘッドにも採用することができる。このとき、光ディスクに記録されている情報を再生するときの情報読み取りは、読み取り専用の光ヘッドと同様に高精度で行われる。
【００４９】
また、光ディスクの記録層に集光されたレーザ光のＮＦＰが小径の略真円形状を有するので、光ディスクに情報を記録する光ヘッドとして採用することで、情報の記録を高精度で行うことができ、それだけ、信頼性の高い光ヘッドを提供することができる。
【産業上の利用可能性】
【００５０】
本発明にかかる光ヘッドは、ＢＤ、ＨＤ−ＤＶＤ等のトラック幅の小さな光ディスクを記録媒体とする光ディスク装置において適用することができる。
【図面の簡単な説明】
【００５１】
【図１】本発明にかかる光ヘッドの配置図である。
【図２】本発明にかかる光ヘッドに用いられる回折格子の一例の平面図である。
【図３】図（Ａ）は半導体レーザ光源より出射されたレーザ光のファーフィールドパターンを示す概略図であり、図（Ｂ）は本発明にかかる光ヘッドに用いられる回折格子を透過した後のレーザ光のファーフィールドパターンの該略図であり、図（Ｃ）は図（Ｂ）に示すファーフィールドパターンを有するレーザ光が対物レンズで集光されたときのレーザ光のニアフィールドパターンを示す該略図である。
【図４】本発明にかかる光ヘッドに用いられる回折格子の他の例の平面図である。
【図５】従来の光ヘッドの配置図である。
【図６】図（Ａ）は半導体レーザ光源より出射されたレーザ光のファーフィールドパターンを示す概略図であり、図（Ｂ）は図（Ａ）に示すファーフィールドパターンを有するレーザ光が対物レンズで集光されたときのレーザ光のニアフィールドパターンを示す該略図である。
【符号の説明】
【００５２】
１  レーザ光源
２  コリメータレンズ
３  ビームスプリッタ
４  回折格子
４１  第１格子部
４２  第２格子部
５  対物レンズ
６  検出レンズ
７  光検出素子
７１  第１光検出部
７２  第２光検出部
【図１】
2007200477.tif 000003
【図２】
2007200477.tif 000004
【図３】
2007200477.tif 000005
【図４】
2007200477.tif 000006
【図５】
2007200477.tif 000007
【図６】
2007200477.tif 000008